【手続補正書】
【提出日】平成25年7月1日(2013.7.1)
【手続補正１】
【補正対象書類名】特許請求の範囲
【補正対象項目名】全文
【補正方法】変更
【補正の内容】
【特許請求の範囲】
【請求項１】
ピクチャデータを少なくともブロックにエンコードするエンコーダを備え、前記エンコーダは、前記ブロックと関連付けられたコード化されていないシンボルおよび／またはコード化されていないシンタックスのうちの少なくとも１つに確率更新プロセスを適用する、装置。
【請求項２】
前記確率更新プロセスは、少なくとも前記ブロックに関連する複数のコード化されていないシンボルおよび／またはコード化されていないシンタックスに対して選択的に適用される、請求項１に記載の装置。
【請求項３】
選択されたコード化されていないシンボルおよび／または選択されたコード化されていないシンタックスのうちの少なくとも１つは、明示的に信号伝達される、請求項２に記載の装置。
【請求項４】
選択されたコード化されていないシンボルおよび／または選択されたコード化されていないシンタックスのうちの少なくとも１つは、暗示的に決定される、請求項２に記載の装置。
【請求項５】
前記ブロックに関連する前記複数のコード化されていないシンボルおよび／またはコード化されていないシンタックスのうちの特定の１つに前記確率更新プロセスを適用するかどうかの選択は、係数の有意性マップ内の対応する係数の有意性表現の位置、スライスまたはピクチャ内の前記ブロックの位置、対応する確率の収束速度、すでにエンコードされたシンタックス数、すでにエンコードされたシンボル数、および前記ブロックに空間的に隣接するおよび時間的に隣接するブロックのうちの少なくとも１つに対して前記複数のコード化されていないシンボルおよび／またはコード化されていないシンタックスのうちの前記特定の１つに対する確率状態のうちの少なくとも１つに応じる、請求項２に記載の装置。
【請求項６】
前記ブロックに関連する前記複数のコード化されていないシンボルおよび／またはコード化されていないシンタックスのうちの特定のシンボルに前記確率更新プロセスを適用するかどうかの選択は、前記特定のシンボルが特定のシンタックスにエンコードされた回数に応じる、請求項２に記載の装置。
【請求項７】
ビデオエンコーダにおいて、ピクチャデータを少なくともブロックにエンコードするステップを含み、前記エンコードするステップは、前記ブロックと関連付けられたコード化されていないシンボルおよび／またはコード化されていないシンタックスのうちの少なくとも１つに確率更新プロセスを適用するステップを含む、方法。
【請求項８】
前記確率更新プロセスは、少なくとも前記ブロックに関連する複数のコード化されていないシンボルおよび／またはコード化されていないシンタックスに対して選択的に適用される、請求項７に記載の方法。
【請求項９】
選択されたコード化されていないシンボルおよび／または選択されたコード化されていないシンタックスのうちの少なくとも１つは、明示的に信号伝達される、請求項８に記載の方法。
【請求項１０】
選択されたコード化されていないシンボルおよび／または選択されたコード化されていないシンタックスのうちの少なくとも１つは、暗示的に決定される、請求項８に記載の方法。
【請求項１１】
前記ブロックに関連する前記複数のコード化されていないシンボルおよび／またはコード化されていないシンタックスのうちの特定の１つに前記確率更新プロセスを適用するかどうかの選択は、係数の有意性マップ内の対応する係数の有意性表現の位置、スライスまたはピクチャ内の前記ブロックの位置、対応する確率の収束速度、すでにエンコードされたシンタックス数、すでにエンコードされたシンボル数、および前記ブロックに空間的に隣接するおよび／または時間的に隣接するブロックのうちの少なくとも１つに対して前記複数のコード化されていないシンボルおよび／またはコード化されていないシンタックスのうちの前記特定の１つに対する確率状態のうちの少なくとも１つに応じる、請求項８に記載の方法。
【請求項１２】
前記ブロックに関連する前記複数のコード化されていないシンボルおよび／またはコード化されていないシンタックスのうちの特定のシンボルに前記確率更新プロセスを適用するかどうかの選択は、前記特定のシンボルが特定のシンタックスにエンコードされた回数に応じる、請求項８に記載の方法。
【請求項１３】
ピクチャデータを少なくともブロックにデコードするデコーダを備え、前記デコーダは、前記ブロックと関連付けられたコード化されていないシンボルおよび／またはコード化されていないシンタックスのうちの少なくとも１つに確率更新プロセスを適用する、装置。
【請求項１４】
前記確率更新プロセスは、少なくとも前記ブロックに関連する複数のコード化されていないシンボルおよび／またはコード化されていないシンタックスに対して選択的に適用される、請求項１３に記載の装置。
【請求項１５】
前記デコーダは、選択されたコード化されていないシンボルおよび／または選択されたコード化されていないシンタックスのうちの少なくとも１つを同定する明示的な印を受信し、および選択されたコード化されていないシンボルおよび／または選択されたコード化されていないシンタックスのうちの前記少なくとも１つを前記明示的な印から決定する、請求項１４に記載の装置。
【請求項１６】
前記デコーダは、選択されたコード化されていないシンボルおよび／または選択されたコード化されていないシンタックスのうちの少なくとも１つを同定する暗示的な印を受信し、および選択されたコード化されていないシンボルおよび／または選択されたコード化されていないシンタックスのうちの前記少なくとも１つを前記暗示的な印から決定する、請求項１４に記載の装置。
【請求項１７】
前記ブロックに関連する前記複数のコード化されていないシンボルおよび／またはコード化されていないシンタックスのうちの特定の１つに前記確率更新プロセスを適用するかどうかの選択は、係数の有意性マップ内の対応する係数の有意性表現の位置、スライスまたはピクチャ内の前記ブロックの位置、対応する確率の収束速度、すでにエンコードされたシンタックス数、すでにエンコードされたシンボル数、および前記ブロックに空間的に隣接するおよび時間的に隣接するブロックのうちの少なくとも１つに対して前記複数のコード化されていないシンボルおよび／またはコード化されていないシンタックスのうちの前記特定の１つに対する確率状態のうちの少なくとも１つに応じる、請求項１４に記載の装置。
【請求項１８】
前記ブロックに関連する前記複数のコード化されていないシンボルおよび／またはコード化されていないシンタックスのうちの特定のシンボルに前記確率更新プロセスを適用するかどうかの選択は、前記特定のシンボルが特定のシンタックスにエンコードされた回数に応じる、請求項１４に記載の装置。
【請求項１９】
前記確率更新プロセスは、シーケンスレベル、ピクチャレベル、スライスレベル、および／またはブロックレベルで適用される、請求項１３に記載の装置。
【請求項２０】
前記確率更新プロセスが前記エンコーダによって適用されたかどうかおよび前記デコーダにおける前記確率更新プロセスに適用するかどうかの少なくとも１つは、それに関連する明示的な印または暗示的な印から決定される、請求項１３に記載の装置。
【請求項２１】
ビデオエンコーダにおいて、ピクチャデータを少なくともブロックにデコードするステップを含み、前記デコーダは、前記ブロックと関連付けられたコード化されていないシンボルおよび／またはコード化されていないシンタックスのうちの少なくとも１つに確率更新プロセスを適用する、方法。
【請求項２２】
前記確率更新プロセスは、少なくとも前記ブロックに関連する複数のコード化されていないシンボルおよび／またはコード化されていないシンタックスに対して選択的に適用される、請求項２１に記載の方法。
【請求項２３】
選択されたコード化されていないシンボルおよび／または選択されたコード化されていないシンタックスのうちの少なくとも１つを同定する明示的な印を受信するステップと、
選択されたコード化されていないシンボルおよび／または選択されたコード化されていないシンタックスのうちの前記少なくとも１つを前記明示的な印から決定するステップと、
をさらに含む、請求項２２に記載の方法。
【請求項２４】
選択されたコード化されていないシンボルおよび／または選択されたコード化されていないシンタックスのうちの少なくとも１つを同定する暗示的な印を受信するステップと、
選択されたコード化されていないシンボルおよび／または選択されたコード化されていないシンタックスのうちの前記少なくとも１つを前記暗示的な印から決定するステップと、
をさらに含む、請求項２２に記載の方法。
【請求項２５】
前記ブロックに関連する前記複数のコード化されていないシンボルおよび／またはコード化されていないシンタックスのうちの特定の１つに前記確率更新プロセスを適用するかどうかの選択は、係数の有意性マップ内の対応する係数の有意性表現の位置、スライスまたはピクチャ内の前記ブロックの位置、対応する確率の収束速度、すでにエンコードされたシンタックス数、すでにエンコードされたシンボル数、および前記ブロックに空間的に隣接するおよび時間的に隣接するブロックのうちの少なくとも１つに対して前記複数のコード化されていないシンボルおよび／またはコード化されていないシンタックスのうちの前記特定の１つに対する確率状態のうちの少なくとも１つに応じる、請求項２２に記載の方法。
【請求項２６】
前記ブロックに関連する前記複数のコード化されていないシンボルおよび／またはコード化されていないシンタックスのうちの特定のシンボルに前記確率更新プロセスを適用するかどうかの選択は、前記特定のシンボルが特定のシンタックスにエンコードされた回数に応じる、請求項２１に記載の方法。
【請求項２７】
エンコードされるビデオ信号データを有する一時的でない記憶媒体であって、
少なくともスライスまたはピクチャ内の少なくともブロックにエンコードされるピクチャデータを含み、確率更新プロセスは、前記ブロックと関連付けられたコード化されていないシンボルおよび／またはコード化されていないシンタックスのうちの少なくとも１つに適用される、一時的でない記憶媒体。
【手続補正２】
【補正対象書類名】明細書
【補正対象項目名】００６６
【補正方法】変更
【補正の内容】
【００６６】
adaptive_probability_update_flag:   ａｄａｐｔｉｖｅ＿ｐｒｏｂａｂｉｌｉｔｙ＿ｕｐｄａｔｅ＿ｆｌａｇが０に等しいことは、スライス内のコード化されていないシンタックスの確率コンテキストに対して適応型更新がまったく行われていないことを意味し、ａｄａｐｔｉｖｅ＿ｐｒｏｂａｂｉｌｉｔｙ＿ｕｐｄａｔｅ＿ｆｌａｇが１に等しいことは、スライス内のコード化されていないシンタックスのすべてまたは一部の確率コンテキストに対して適応型更新が行われることを意味する。
【手続補正３】
【補正対象書類名】明細書
【補正対象項目名】００７１
【補正方法】変更
【補正の内容】
【００７１】
機能ブロック６３５は、算術コーディングを行って、制御を機能ブロック６４０に渡す。機能ブロック６４０は、確率コンテキストの更新を行って、制御をループ限定ブロック６３０に渡す。